(57)【要約】【課題】本発明の目的は、手首の力を使わずに、正確なスイングすることが可能なパタークラブを提供することである。【解決手段】本発明に係るパタークラブ１０は、シャフト１２、ヘッド１４およびグリップ１６を備えている。ヘッド１４は、シャフト１２の一端に取り付けられており、グリップ１６は、シャフト１２の他端に設けられている。さらに、グリップ１６は、ヘッド１４側の端部から他端に向かって徐々に径が小さくなるテーパ形状を呈している。【選択図】図１
2018192032.tif 000002
【特許請求の範囲】
【請求項１】
シャフトと、
前記シャフトの両端部にそれぞれ設けられたヘッド部およびグリップ部と、
を備えるパタークラブにおいて
前記グリップ部は、前記ヘッド部側の端部から他端に向かって先細りするテーパ形状であることを特徴とするパタークラブ。
【請求項２】
シャフトと、
前記シャフトの両端部にそれぞれ設けられたヘッド部およびグリップ部と、
を備えるパタークラブにおいて
前記グリップ部は、第１の径を有する第１の把持部と、前記第１の径よりも大きな第２の径を有する第２の把持部とを少なくとも有しており、
前記第２の把持部は、前記ヘッド部側の端部領域に配置されることを特徴とするパタークラブ。
【請求項３】
筒状弾性部材からなる補助グリップであって、前記グリップ部の周面に対して着脱自在に取り付けられる補助グリップをさらに備えることを特徴とする請求項１または２に記載のパタークラブ。
【発明の詳細な説明】
【技術分野】
【０００１】
本発明は、グリーン上のゴルフボールをカップに入れる際に使用されるパタークラブに関する。
【背景技術】
【０００２】
ゴルフのプレーには複数のクラブを使用するが、パタークラブは、グリーン上のゴルフボールをカップに入れる際に使用される。パターショットは、ゴルフの中でもより精度の高いショットが要求されるため、プレーヤは、日々練習を行うことでパターショットの精度を向上に努めている。
【０００３】
パターショットが失敗する原因の一つに、グリップを握る手の力みの影響等により狙い通りの軌道や力加減でショット打てないことがある。このため、従来ではパターショットを安定させるために、グリップに突起を設けたパタークラブが提案されていた（例えば、特許文献１参照。）。このグリップによれば、突起によって把持する領域を容易に認識することができ、グリップの把持位置がずれることがなくなり、安定したショットを打つことが可能になるとされていた。
【先行技術文献】
【特許文献】
【０００４】
【特許文献１】特開２０１３‐１９２９２０号公報
【発明の概要】
【発明が解決しようとする課題】
【０００５】
しかしながら、把持位置が固定されたとしても、パターショットの際の緊張等により、依然として狙い通りの軌道でショットが打てないことがある。パターショットは、手首を固定して、肩や腰の回転を利用して打つことが好ましいが、グリップを握る手に力みが生じると、手首を返しながら打ってしまうおそれがある。手首の力を使ったスイングは、安定性がなく、ショットの軌道もぶれるおそれがあるため、スイング中は手首の角度を固定することが望ましい。
【０００６】
本発明の目的は、手首の力を使わず、正確なスイングをすることが可能なパタークラブを提供することである。
【課題を解決するための手段】
【０００７】
本発明に係るパタークラブは、シャフト、ヘッド部およびグリップ部を備えている。ヘッド部およびグリップ部は、シャフトの両端部にそれぞれ設けられている。さらに、グリップ部は、ヘッド部側の端部から他端に向かって先細りするテーパ形状であることを特徴する。
【０００８】
通常、グリップ部の手前から非利き手、そして利き手という順で把持位置が決まるため、グリップ部をこのような形状にすることで、プレーヤが利き手で把持する領域の径を大きくすることが可能になる。グリップ部の径が大きくなると、手に力を加えにくくなる。このため、スイングの際に利き手が手首のスナップを利かすことが難しくなり、手首を固定したスイングを習得することが容易になる。なお、もう一方の手（非利き手）で把持する領域の径は、利き手で把持する領域の径よりも小さいため、グリップが把持しやすく、スイングに支障をきたすといったこともない。
【０００９】
また、本発明の他の様態として、グリップ部が第１の把持部と第２の把持部を有するパタークラブが挙げられる。第１の把持部は、第１の径を有しており、第２の把持部は、第１の径よりも大きな第２の径を有している。第２の把持部は、ヘッド部側の端部に配置され、第１の把持部は、グリップエンド側に配置される。このパタークラブは、プレーヤが利き手で把持する領域に径の大きい第２の把持部が配置されることにより、プレーヤが余計な力を使わずにスイングをすることを可能にしている。
【００１０】
また、筒状弾性部材からなる補助グリップであって、グリップ部の周面に対して着脱自在に取り付けられる補助グリップをさらに備えることが好ましい。補助グリップをグリップ部に装着することにより、プレーヤが任意にグリップ部の径を調整することが可能になる。補助グリップが装着された領域は、径が大きくなるので、手首の力を使わずにスイングを行うことが可能になる。さらに、プレーヤによってはグリップ部を把持する位置が異なる場合もあるが、補助グリップを用いることで所望の位置の径の大きさを調整することが可能になる。また、補助グリップは容易に取り外すこともできるので、必要に応じて着脱を行うこともできる。
【発明の効果】
【００１１】
この発明によれば、手首の力を使わずにパタークラブをスイングすることが可能になる。
【図面の簡単な説明】
【００１２】
【図１】本発明の一実施形態に係るパタークラブの概略示す図である。
【図２】断面形状の異なるパタークラブのグリップの例を示す図である。
【図３】本発明の他の実施形態に係るパタークラブを示す図である。
【図４】補助グリップが装着されたグリップを示す図である。
【図５】補助グリップの他の実施形態を示す図である。
【発明を実施するための形態】
【００１３】
本発明の実施形態について、図面を用いて説明する。図１は、本発明の一実施形態に係るパタークラブ１０を示す図である。パタークラブ１０は、シャフト１２、ヘッド１４およびグリップ１６を備えている。
【００１４】
ヘッド１４は、シャフト１２の一端に取り付けられており、ボールを打球するように構成される。ヘッド１４の素材や形状、シャフト１２への取り付け角度は、プレーヤの好みやプレースタイルに応じて、適宜変更することが可能である。
【００１５】
グリップ１６は、シャフト１２の他端に取り付けられており、プレーヤが把持するように構成される。グリップ１６は、ゴム、ウレタン、コルク等の弾性部材から構成される。グリップ１６は、ヘッド１４側の端部が最も径が大きくなっており、グリップエンド側に向かって徐々に径が小さくなるテーパ形状を呈している。グリップ１６の長さは、２５０〜４００ｍｍの範囲であり、グリップ１６の直径は、３０〜４４ｍｍの範囲に調整されることが好ましい。
【００１６】
このようなテーパ形状により、プレーヤがグリップ１６を把持する際に、利き手で把持する領域の径が大きくなる。径が大きくなると、利き手に力が込めにくくなるので、手首の力を使ったスイングをすることが難しくなる。このため、プレーヤは自然と手首を固定した理想的なパタースイングを体得することが可能になる。グリップ１６のテーパ角度は、２〜３度に調整されることが好ましく、特にプレーヤが利き手で把持する領域の径は４０ｍｍ以上であることが好ましい。
【００１７】
通常、ゴルフクラブのグリップは、ヘッド側の端部に向かって先細りするようなテーパ形状であり、利き手で把持する領域の径が小さくなってしまう。本実施形態のパタークラブでは、あえて利き手で把持する領域の径が大きくなるように構成されるため、スイング中に手首の力を使わないスイングを体得することが可能になる。
【００１８】
また、グリップ１６は、略円形形状だけではなく、図２（Ａ）に示すように断面直線状の平面部１８を有していても良い。平面部１８は、グリップ１６の長さ方向に沿ってプレーヤの親指が触れる位置に形成される。プレーヤは、平面部１８によりグリップ１６の把持位置の目安にすることができるので、パターショットの精度が向上する。
【００１９】
パターグリップの他の形状としては、図２（Ｂ）に示すグリップ１６２のような断面形状が略ひし形になるものが挙げられる。グリップ１６２は、プレーヤが親指で把持する位置にひし形の頂点が配置されるように構成される。また、グリップ１６２は、グリップエンド側に向かって径が徐々に小さくなるようなテーパ形状である。断面形状がひし形になると、プレーヤが把持する際に力が込めにくくなるので、手首の力を使わないスイングを意識しやすくなる。
【００２０】
また、本発明の他の実施形態としては、図３に示すパタークラブ１０１が挙げられる。パタークラブ１０１のグリップ１６３は、第１の把持部２０と第２の把持部２２を備えている。第１の把持部２０は、ヘッド１４側の端部側の領域であり、プレーヤが利き手で把持する領域である。第２の把持部２２は、グリップ１６３のグリップエンド側の領域であり、プレーヤがもう一方の手で把持する領域である。第１の把持部２０は、少なくともプレーヤが利き手で把持する領域であり、第２の把持部２２よりも径が大きくなるように構成される。第１の把持部２０は、少なくともグリップ１６２の全長に対して４０〜６０％の長さであることが好ましい。第１の把持部２０は、テーパ形状を呈しているが、第１の把持部２０は、少なくとも第２の把持部２２よりも径が大きければ特に制限はなく、円筒状であっても良い。プレーヤは第１の把持部２０を利き手で把持することにより、利き手に力を込めにくくなるので、手首の力を使ったスイングが難しくなる。
【００２１】
また、他の実施形態としては、補助グリップ３０を備えたパタークラブが挙げられる。補助グリップ３０は、図４（Ａ）に示すように、筒状の弾性部材からなり、グリップ１６の周面に密着するように構成される。補助グリップ３０は、内径寸法はグリップ１６の径に応じて適宜変更することが可能である。補助グリップ３０は、グリップ１６の長さの半分よりも短いことが好ましい。補助グリップ３０がグリップ１６に対して長くなると、グリップ１６全体の径が大きくなってしまい、把持しにくくなってしまう。
【００２２】
補助グリップ３０をグリップ１６に装着する際は、グリップエンド側から周面に沿うようにスライドさせながら装着し、利き手で把持する領域で固定する。グリップ１６は、グリップエンドが最も径が小さいため、補助グリップ３０を好適に装着することが可能である。また、補助グリップ３０の内径部には、グリップ１６との摩擦を軽減するために、フッ素樹脂やシリコーン等の摩擦係数の小さい素材で被覆されていることが好ましい。さらに、補助グリップ３０が装着されるグリップ１６は、表面に凹凸が形成されることが好ましい。凹凸が形成されることによって、補助グリップ３０時のグリップ１６との摩擦を軽減することが可能になる。
【００２３】
補助グリップ３０が装着されることによって、プレーヤの利き手での把持領域の径をさらに大きくすることが可能になる。プレーヤによってはグリップの把持位置が異なる場合もあるが、補助グリップ３０によって所望の領域の径の大きさを調整することができるので、様々な握り方にも対応することが可能になる。また、補助グリップ３０は、グリップ１６の形状に沿って弾性変形するため、どのようなグリップ形状にも対応することが可能である。
【００２４】
また、上記実施形態では、断面形状が略円形の補助グリップ３０で説明したが、図５に示すように断面形状が矩形状の補助グリップ３０１を使用しても良い。断面矩形状の補助グリップを使用すると、プレーヤの利き手にはフィットしにくくなるが、利き手に余計な力を加えずにスイングを行うことができる。
【００２５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２６】
１０‐パタークラブ
１２‐シャフト
１４‐ヘッド
１６‐グリップ
２０‐第１の把持部
２２‐第２の把持部
３０‐補助グリップ
【図１】
2018192032.tif 000003
【図２】
2018192032.tif 000004
【図３】
2018192032.tif 000005
【図４】
2018192032.tif 000006
【図５】
2018192032.tif 000007